(57)【要約】【課題】  溶融樹脂を流し込んでハーネスの端末部を差し込んで養生している間に、不用意に抜け落ちたり或いは位置がずれてしまうようなことを防止することが可能なハーネス用防水キャップを提供すること。【解決手段】  ハーネス端部の被覆電線が束ねられた部分が差し込まれ鞘形状をなす防水キャップ本体と、上記防水キャップ本体の一部に設けられ上記束ねられた被覆電線を押さえ込んでその抜けを防止する扁平形状部と、を具備したもの。【選択図】  図１
2010044985.tif 000002
【特許請求の範囲】
【請求項１】
鞘形状をなしハーネスの端部に被冠・固定される防水キャップ本体と、
上記防水キャップ本体の一部に設けられ上記ハーネスの端部を押さえ込んで上記防水キャップ本体からの抜けを防止する扁平形状部と、
を具備したことを特徴とするハーネス用防水キャップ。
【請求項２】
請求項１記載のハーネス用防水キャップにおいて、
上記扁平形状部は上記防水キャップ本体の所定の軸方向長さの範囲で設けられていて、円形部から徐々に扁平していって最扁平部に至るような状態で設けられていることを特徴とするハーネス用防水キャップ。
【請求項３】
請求項２記載のハーネス用防水キャップにおいて、
上記扁平形状部は上記防水キャップ本体の差込口から軸方向略中間位置に至る範囲で設けられていて、差込口から徐々に扁平していって最扁平形状部に至り該最扁平形状部から徐々に扁平が解除されていって円形に戻るように設けられていることを特徴とするハーネス用防水キャップ。
【請求項４】
請求項２記載のハーネス用防水キャップにおいて、
上記扁平形状部は上記防水キャップ本体の差込口から軸方向略中間位置に至る範囲で設けられていて、差込口が最扁平形状部であり該最扁平形状部から徐々に扁平が解除されていって円形に戻るように設けられていることを特徴とするハーネス用防水キャップ。
【請求項５】
請求項２〜請求項４の何れかに記載のハーネス用防水キャップにおいて、
上記扁平形状部の最も扁平した部分の横断面形状は長方形の両端に半円形状部を連設したような形状になっていることを特徴とするハーネス用防水キャップ。
【発明の詳細な説明】
【技術分野】
【０００１】
本発明は、例えば、各種車両のハーネスの端部に被冠・固定されるハーネス用防水キャップに係り、特に、ハーネスの端部に被冠・固定された後に不用意に離脱・落下したり或いはその位置がずれてしまうことがないように工夫したものに関する。
【背景技術】
【０００２】
例えば、各種車両のハーネスの端部は次のように処理されている。すなわち、ハーネスの端部の複数本の被覆電線の芯線を露出させ、その露出された芯線を束ねて超音波溶着法により固めた状態とする。そのようなハーネスの先端部に別途用意されたハーネス用防水用キャップを被冠・固定する。すなわち、ハーネス用防水キャップ内に溶融樹脂を充填し、そこに上記ハーネスの端部を差し込む。その状態で放置して養生期間をおくことにより充填した溶融樹脂を固める。それによって、ハーネスの端部に防水キャップが被冠・固定されるものである。
【０００３】
尚、ハーネス用防水キャップをハーネスの端部に被冠・固定する構成を開示するものとして、例えば、特許文献１、特許文献２がある。
【特許文献１】特開２００５−２６１１８４号公報
【特許文献２】特開２００１−２４３９９９号公報
【発明の開示】
【発明が解決しようとする課題】
【０００４】
上記従来構成によると次のような問題があった。すなわち、ハーネス用防水キャップ内に溶融樹脂を充填し、そこにハーネスの端部を差し込んで養生させる場合には、ハーネス全体を吊下げた状態とする。その際、溶融樹脂が固化する前にハーネス用防水キャップが抜け落ちたり、或いは、ハーネス用防水キャップの位置がずれてしまうことがあり、ハーネス用防水キャップによる端末防水処理構造が損なわれるおそれがあった。
【０００５】
本発明はこのような点に基づいてなされたものでその目的とするところは、溶融樹脂を流し込んでハーネスの端部を差し込んで養生している間に、不用意に抜け落ちたり或いはその位置がずれてしまうようなことがないハーネス用防水キャップを提供することにある。
【課題を解決するための手段】
【０００６】
上記目的を達成するべく本願発明の請求項１によるハーネス用防水キャップは、鞘形状をなしハーネスの端部に被冠・固定される防水キャップ本体と、上記防水キャップ本体の一部に設けられ上記ハーネスの端部を押さえ込んで上記防水キャップ本体からの抜けを防止する扁平形状部と、を具備したことを特徴とするものである。
又、請求項２によるハーネス用防水キャップは、請求項１記載のハーネス用防水キャップにおいて、上記扁平形状部は上記防水キャップ本体の所定の軸方向長さの範囲で設けられていて、円形部から徐々に扁平していって最扁平部に至るような状態で設けられていることを特徴とするものである。
又、請求項３によるハーネス用防水キャップは、請求項２記載のハーネス用防水キャップにおいて、上記扁平形状部は上記防水キャップ本体の差込口から軸方向略中間位置に至る範囲で設けられていて、差込口から徐々に扁平していって最扁平形状部に至り該最扁平形状部から徐々に扁平が解除されていって円形に戻るように設けられていることを特徴とするものである。
又、請求項４による防水キャップは、請求項２記載のハーネス用防水キャップにおいて、上記扁平形状部は上記防水キャップ本体の差込口から軸方向略中間位置に至る範囲で設けられていて、差込口が最扁平形状部であり該最扁平形状部から徐々に扁平が解除されていって円形に戻るように設けられていることを特徴とするものである。
又、請求項５によるハーネス用防水キャップは、請求項２〜請求項４の何れかに記載のハーネス用防水キャップにおいて、上記扁平形状部の最も扁平した部分の横断面形状は長方形の両端に半円形状部を連設したような形状になっていることを特徴とするものである。
【発明の効果】
【０００７】
以上述べたように本願発明の請求項１によるハーネス用防水キャップは、鞘形状をなしハーネスの端部に被冠・固定される防水キャップ本体と、上記防水キャップ本体の一部に設けられ上記ハーネスの端部を押さえ込んで上記防水キャップ本体からの抜けを防止する扁平形状部と、を具備した構成になっているので、ハーネス用防水キャップが被冠・仮固定された状態のハーネスを吊下げておいた場合にも、ハーネス用防水キャップが不用意に抜け落ちてしまうようなことはない。これは、差し込んだハーネスの端部が扁平形状部によって押さえ付けられているからである。
又、請求項２によるハーネス用防水キャップは、請求項１記載のハーネス用防水キャップにおいて、上記扁平形状部は上記防水キャップ本体の所定の軸方向長さの範囲で設けられていて、円形部から徐々に扁平していって最扁平部に至るような状態で設けられているので、差込作業性を低下させることなく軸方向の所定範囲でハーネスの端部を押さえ込むことができ、不用意な抜けを確実に防止することができる。
又、請求項３によるハーネス用防水キャップは、請求項２記載のハーネス用防水キャップにおいて、上記扁平形状部は上記防水キャップ本体の差込口から軸方向略中間位置に至る範囲で設けられていて、差込口から徐々に扁平していって最扁平形状部に至り該最扁平形状部から徐々に扁平が解除されていって円形に戻るように設けられているので、ハーネスの端部を差し込む際に扁平形状部が大きな抵抗になるようなことはなく円滑に差し込むことができる。
又、請求項４による防水キャップは、請求項２記載のハーネス用防水キャップにおいて、上記扁平形状部は上記防水キャップ本体の差込口から軸方向略中間位置に至る範囲で設けられていて、差込口が最扁平形状部であり該最扁平形状部から徐々に扁平が解除されていって円形に戻るように設けられているので、差込作業性を低下させることなく軸方向の所定範囲でハーネスの端部を押さえ込むことができ、不用意な抜けを確実に防止することができる。
又、請求項５によるハーネス用防水キャップは、請求項２〜請求項４の何れかに記載のハーネス用防水キャップにおいて、上記扁平形状部の最も扁平した部分の横断面形状は長方形の両端に半円形状部を連設したような形状になっているので、ハーネスの端部を確実に押さえ込んで抜け防止を確実なものとすることができる。
【発明を実施するための最良の形態】
【０００８】
以下、図１乃至図１１を参照して本発明の第１の実施の形態を説明する。図１は本実施の形態によるハーネス用防水キャップ１の全体構成を示す斜視図、図２は同上の側面図、図３は図２のＩＩＩ−ＩＩＩ断面図である。
上記ハーネス用防水キャップ１は略鞘形状をなす防水キャップ本体３を備えている。この防水キャップ本体３は、上記したように略鞘形状をなしていて、基端側（図１中右側）に差込口３ａを備えていると共に先端（図１中左側）が閉じられた形状をなしている。
【０００９】
又、上記防水キャップ本体３はその横断面形状が円形をなしているが、その一部において扁平形状部５が設けられている。この実施の形態の場合には上記扁平形状部５は防水キャップ本体３の差込口３ａから長手方向の略中間位置に至る所定の範囲で設けられている。すなわち、図１０に示すように、上記扁平形状部５は円形部（差込口３ａ）から徐々に扁平していって最扁平部５ａに至り該最扁平部５ａから徐々に扁平が解除されて円形に戻るような状態で設けられている。又、上記最扁平部５ａの横断面形状をみてみると、図１１に示すように、長方形状の両端を半円形状にした形状をなしている。
【００１０】
又、上記防水キャップ本体３の上記扁平形状部５より先端側には二箇所において環状突起１１、１３が設けられている。上記環状突起１３の横断面形状は、図５に示すように、略半円形状をなしている。
尚、上記環状突起１１の横断面形状も上記環状突起１３の場合と同様の形状をなしているものである。
【００１１】
以上の構成を基にその作用を説明する。本実施の形態の場合には、上記構成をなすハーネス用防水キャップ１をハーネスの端部２１（図１０に示す）に被冠・固定して防水処理を施すものである。上記ハーネスの端部２１は、図１０に示すように、複数本の被覆電線２３を束ねた状態になっていて、各被覆電線２３は芯線２５の外周に被覆材２４を被覆した構成になっていて、先端部においては芯線２５が露出した状態になっている。又、複数本の芯線２５は超音波溶着法によって固められた状態になっている。
【００１２】
そして、まず、ハーネス用防水キャップ１の防水キャップ本体３内に差込口３ａを介して溶融樹脂３１を流し込む。次に、上記構成をなすハーネスの端部２１をハーネス用防水キャップ１の防水キャップ本体３内に差込口３ａを介して差し込む。その状態で所定の養生期間をおき、上記溶融樹脂３１の硬化を待つ。
尚、前述した環状突起１１であるが、これは上記差し込んだハーネスの端部２１の位置決め、すなわち、図１０に示すように、複数本の被覆電線２３と露出されて固められた芯線２５との境目の位置決めを目的として設けられているものである。又、環状突起１３であるが、これは振動時に露出された芯線２５が防水キャップ本体３の内周面に直接接触しないようにするために設けられているものであり、芯線２５が防水キャップ本体３の内周面に直接接触して内面を損傷させるようなことを未然に防止しているものである。
【００１３】
上記養生期間においては、ハーネス用防水キャップ１が被冠・仮固定された状態のハーネスを吊下げておくことになるが、その際、仮固定したハーネス用防水キャップ１がハーネスの端部２１から不用意に抜け落ちてしまうようなことはない。これは、差し込んだハーネスの端部２１の被覆電線２３の部分が扁平形状部５によって押さえ付けられているからである。
【００１４】
以上本実施の形態によると次のような効果を奏することができる。
まず、ハーネス用防水キャップ１が被冠・仮固定された状態のハーネスを吊下げて養生させることになるが、その際、仮固定したハーネス用防水キャップ１がハーネスの端部２１から不用意に抜け落ちたりその位置がずれてしまうようなことを防止することができる。これは、差し込んだハーネスの端部２１の被覆電線２３の部分がハーネス用防水キャップ１の扁平形状部５によって押さえ付けられているからである。
又、本実施の形態の場合には、防水キャップ本体３の差込口３ａから徐々に扁平していく構成になっていて、差込口３ａは円形の状態になっているので、ハーネスの端部２１の差込作業の作業性が損なわれるようなこともない。
又、扁平の程度は異なるが軸方向の所定の範囲でハーネスの端部２１の被覆電線２３の部分を押さえ付けるようにしているので、仮固定したハーネス用防水キャップ１がハーネスの端部２１から不用意に抜け落ちたりその位置がずれてしまうようなことを確実に防止することができる。
【００１５】
次に、図１２乃至図１９を参照して本発明の第２の実施の形態を説明する。前記第１の実施の形態の場合には、防水キャップ本体３の差込口３ａから長手方向の略中間位置に至る所定の範囲で扁平形状部５を設け、且つ、その範囲内の略中間位置に最扁平部５ａを設けたが、この第２の実施の形態の場合には、防水キャップ本体３の差込口３ａから長手方向の略中間位置に至る所定の範囲で扁平形状部５を設け、且つ、差込口３ａを最扁平部５ａとしたものである。
その他の構成は前記第１の実施の形態の場合と同じであり、図中同一部分には同一符号を付して示しその説明は省略する。
【００１６】
したがって、この第２の実施の形態の場合も前記第１の実施の形態の場合とほぼ同様の効果を得ることができ、ハーネス用防水キャップ１の不用意な離脱や位置ずれを防止することができる。
【００１７】
尚、本発明は前記第１、第２の実施の形態に限定されるものではない。
まず、扁平形状部の位置は図示したものに限定されるものではなく、それ以外の位置の場合も考えられる。
又、前記第１、第２の実施の形態の場合には扁平形状部を一箇所としたが、二箇所以上に設ける構成も考えられる。又、最扁平形状部の位置や数についても同様である。
その他、図示した構成はあくまで一例である。
【産業上の利用可能性】
【００１８】
本発明は、例えば、各種車両のハーネスの先端部に被冠されるハーネス用防水キャップに係り、特に、ハーネスの先端部に被冠させた後不用意に離脱・落下してしまうことをなくすことができるように工夫したものに関し、例えば、四輪車のハーネスの端末部に対する防水処理に好適である。
【図面の簡単な説明】
【００１９】
【図１】本発明の第１の実施の形態を示す図で、ハーネス用防水キャップの全体構成を示す斜視図である。
【図２】本発明の第１の実施の形態を示す図で、ハーネス用防水キャップの側面図である。
【図３】本発明の第１の実施の形態を示す図で、図２のＩＩＩ−ＩＩＩ断面図である。
【図４】本発明の第１の実施の形態を示す図で、図３のＩＶ−ＩＶ矢視図である。
【図５】本発明の第１の実施の形態を示す図で、図３のＶ部を拡大して示す断面図である。
【図６】本発明の第１の実施の形態を示す図で、図３のＶＩ−ＶＩ断面図である。
【図７】本発明の第１の実施の形態を示す図で、図３のＶＩＩ−ＶＩＩ断面図である。
【図８】本発明の第１の実施の形態を示す図で、図３のＶＩＩＩ−ＶＩＩＩ断面図である。
【図９】本発明の第１の実施の形態を示す図で、図３のＩＸ−ＩＸ断面図である。
【図１０】本発明の第１の実施の形態を示す図で、作用を説明するための図で、ハーネス用防水キャップをハーネスの端部に被冠・仮固定した状態を示す断面図である。
【図１１】本発明の第１の実施の形態を示す図で、図１０のＸＩ−ＸＩ断面図である。
【図１２】本発明の第２の実施の形態を示す図で、ハーネス用防水キャップの全体構成を示す斜視図である。
【図１３】本発明の第２の実施の形態を示す図で、ハーネス用防水キャップの側面図である。
【図１４】本発明の第２の実施の形態を示す図で、図１３のＸＩＶ−ＸＩＶ断面図である。
【図１５】本発明の第２の実施の形態を示す図で、図１４のＸＶ−ＸＶ断面図である。
【図１６】本発明の第２の実施の形態を示す図で、図１４のＸＶＩ−ＸＶＩ断面図である。
【図１７】本発明の第２の実施の形態を示す図で、図１４のＸＶＩＩ−ＸＶＩＩ断面図である。
【図１８】本発明の第２の実施の形態を示す図で、図１４のＸＶＩＩＩ−ＸＶＩＩＩ断面図である。
【図１９】本発明の第２の実施の形態を示す図で、図１４のＸＩＸ−ＸＩＸ断面図である。
【符号の説明】
【００２０】
１  ハーネス用防水キャップ
３  防水キャップ本体
５  扁平形状部
１１  環状突起
１３  環状突起
２１  ハーネスの先端部
２３  被覆電線
２５  被覆電線の芯線
３１  溶融樹脂
【図１】
2010044985.tif 000003
【図２】
2010044985.tif 000004
【図３】
2010044985.tif 000005
【図４】
2010044985.tif 000006
【図５】
2010044985.tif 000007
【図６】
2010044985.tif 000008
【図７】
2010044985.tif 000009
【図８】
2010044985.tif 000010
【図９】
2010044985.tif 000011
【図１０】
2010044985.tif 000012
【図１１】
2010044985.tif 000013
【図１２】
2010044985.tif 000014
【図１３】
2010044985.tif 000015
【図１４】
2010044985.tif 000016
【図１５】
2010044985.tif 000017
【図１６】
2010044985.tif 000018
【図１７】
2010044985.tif 000019
【図１８】
2010044985.tif 000020
【図１９】
2010044985.tif 000021